(57)【要約】【課題】マトリクス表示パネルの種別を簡単な構成で確実に判定するマトリクス表示パネル種別検査方法を提供する。【解決手段】判別信号生成手段（たとえば、照合パターン生成部３２）がマトリクス表示パネル（たとえば、マトリクス表示部３１）のユニット内に予め実装されている。そして、点灯制御手段（たとえば、マトリクス表示駆動部２０）により、マトリクス表示部３１に対してダイナミック点灯制御される。照合パターン生成部３２により、上記点灯制御処理によるダイナミック点灯制御に基づいて、マトリクス表示部３１の種別に対応した表示パネル判別信号soutが生成される。表示パネル種別判定手段（たとえば、制御部１０）では、この判別信号生成処理により生成された表示パネル判別信号soutに基づいて、マトリクス表示部３１の種別が判定される。【選択図】図１
2010032394.tif 000002
【特許請求の範囲】
【請求項１】
点灯制御手段が、所定数の点灯素子がマトリクス状に配列されてなるマトリクス表示パネルに対してダイナミック点灯制御する点灯制御処理と、
判別信号生成手段が、該点灯制御処理による前記ダイナミック点灯制御に基づいて、前記マトリクス表示パネルの種別に対応した表示パネル判別信号を生成する判別信号生成処理と、
表示パネル種別判定手段が、該判別信号生成処理により生成された前記表示パネル判別信号に基づいて、前記マトリクス表示パネルの種別を判定する表示パネル種別判定処理とを行うことを特徴とするマトリクス表示パネル種別検査方法。
【請求項２】
点灯制御手段が、所定数の点灯素子がマトリクス状に配列されてなるマトリクス表示パネルに対してダイナミック点灯制御する点灯制御処理と、
判別信号生成手段を前記マトリクス表示パネルのユニット内に予め実装しておき、該判別信号生成手段が、前記点灯制御処理による前記ダイナミック点灯制御に基づいて、前記マトリクス表示パネルの種別に対応した表示パネル判別信号を生成する判別信号生成処理と、
表示パネル種別判定手段が、該判別信号生成処理により生成された前記表示パネル判別信号に基づいて、前記マトリクス表示パネルの種別を判定する表示パネル種別判定処理とを行うことを特徴とするマトリクス表示パネル種別検査方法。
【請求項３】
前記マトリクス表示パネルは、
互いに直交する複数の駆動電流供給用電極と複数の駆動電流吸込み用電極、及び前記各駆動電流供給用電極と前記各駆動電流吸込み用電極との交差箇所に接続された複数の点灯素子を有し、
前記点灯制御処理では、
前記マトリクス表示パネルの前記複数の駆動電流供給用電極に対して、前記ダイナミック点灯制御に基づく駆動電流を所定の順序で供給し、
前記判別信号生成処理では、
前記点灯制御処理により前記マトリクス表示パネルの前記各駆動電流供給用電極に供給される前記駆動電流に基づいて、前記マトリクス表示パネルの種別に対応したパターンのシリアル信号として前記表示パネル判別信号を生成し、
前記表示パネル種別判定処理では、
前記表示パネル判別信号を受信し、該表示パネル判別信号のパターンに基づいて前記マトリクス表示パネルの種別を判定することを特徴とする請求項１又は２記載のマトリクス表示パネル種別検査方法。
【請求項４】
前記マトリクス表示パネルは、
互いに直交する複数の駆動電流供給用電極と複数の駆動電流吸込み用電極、及び前記各駆動電流供給用電極と前記各駆動電流吸込み用電極との交差箇所に接続された複数の点灯素子を有し、
前記点灯制御処理では、
前記マトリクス表示パネルの前記複数の駆動電流吸込み用電極に対して、前記ダイナミック点灯制御に基づく駆動電流を所定の順序で供給し、
前記判別信号生成処理では、
前記マトリクス表示パネルの前記各駆動電流吸込み用電極に吸い込まれる前記駆動電流に基づいて、前記マトリクス表示パネルの種別に対応したパターンの前記表示パネル判別信号を生成し、
前記表示パネル種別判定処理では、
前記表示パネル判別信号を受信し、該表示パネル判別信号のパターンに基づいて前記マトリクス表示パネルの種別を判定することを特徴とする請求項１又は２記載のマトリクス表示パネル種別検査方法。
【請求項５】
前記判別信号生成処理では、
任意の前記駆動電流吸込み用電極に吸い込まれる前記駆動電流がアクティブモードのときに該駆動電流に基づいて前記表示パネル判別信号を前記表示パネル種別判定処理で用いる一方、該駆動電流がノンアクティブモードのときに前記表示パネル判別信号を用いないことを特徴とする請求項３記載のマトリクス表示パネル種別検査方法。
【請求項６】
前記判別信号生成処理では、
任意の前記駆動電流供給用電極に供給される前記駆動電流がアクティブモードのときに該駆動電流に基づいて前記表示パネル判別信号を前記表示パネル種別判定処理で用いる一方、該駆動電流がノンアクティブモードのときに前記表示パネル判別信号を用いないことを特徴とする請求項４記載のマトリクス表示パネル種別検査方法。
【請求項７】
前記判別信号生成処理では、
前記マトリクス表示パネルの前記各駆動電流供給用電極に供給される前記駆動電流に基づいて、非同期シリアル信号の形式を有する前記表示パネル判別信号を生成することを特徴とする請求項３又は５記載のマトリクス表示パネル種別検査方法。
【請求項８】
前記判別信号生成処理では、
前記マトリクス表示パネルの前記各駆動電流吸込み用電極に吸い込まれる前記駆動電流に基づいて、非同期シリアル信号の形式を有する前記表示パネル判別信号を生成することを特徴とする請求項４又は６記載のマトリクス表示パネル種別検査方法。
【請求項９】
前記判別信号生成処理では、
前記マトリクス表示パネルの前記各駆動電流供給用電極に供給される前記駆動電流に基づいて、同期シリアル信号の形式を有する前記表示パネル判別信号を生成することを特徴とする請求項３又は５記載のマトリクス表示パネル種別検査方法。
【請求項１０】
前記判別信号生成処理では、
前記マトリクス表示パネルの前記各駆動電流吸込み用電極に吸い込まれる前記駆動電流に基づいて、同期シリアル信号の形式を有する前記表示パネル判別信号を生成することを特徴とする請求項４又は６記載のマトリクス表示パネル種別検査方法。
【請求項１１】
前記判別信号生成処理では、
前記マトリクス表示パネルの前記各駆動電流供給用電極に供給される前記駆動電流に基づいて、バイシンクシリアル信号の形式を有する前記表示パネル判別信号を生成することを特徴とする請求項３又は５記載のマトリクス表示パネル種別検査方法。
【請求項１２】
前記判別信号生成処理では、
前記マトリクス表示パネルの前記各駆動電流吸込み用電極に吸い込まれる前記駆動電流に基づいて、バイシンクシリアル信号の形式を有する前記表示パネル判別信号を生成することを特徴とする請求項４又は６記載のマトリクス表示パネル種別検査方法。
【請求項１３】
前記判別信号生成処理では、
前記マトリクス表示パネルの前記各駆動電流供給用電極に供給される前記駆動電流に基づいて、周波数偏移変調信号の形式を有する前記表示パネル判別信号を生成することを特徴とする請求項３又は５記載のマトリクス表示パネル種別検査方法。
【請求項１４】
前記判別信号生成処理では、
前記マトリクス表示パネルの前記各駆動電流吸込み用電極に吸い込まれる前記駆動電流に基づいて、周波数偏移変調信号の形式を有する前記表示パネル判別信号を生成することを特徴とする請求項４又は６記載のマトリクス表示パネル種別検査方法。
【請求項１５】
前記判別信号生成処理では、
前記マトリクス表示パネルの前記各駆動電流供給用電極に供給される前記駆動電流に基づいて、符号拡散信号形式を有する前記表示パネル判別信号を生成することを特徴とする請求項３又は５記載のマトリクス表示パネル種別検査方法。
【請求項１６】
前記判別信号生成処理では、
前記マトリクス表示パネルの前記各駆動電流吸込み用電極に吸い込まれる前記駆動電流に基づいて、符号拡散信号の形式を有する前記表示パネル判別信号を生成することを特徴とする請求項４又は６記載のマトリクス表示パネル種別検査方法。
【請求項１７】
前記判別信号生成処理では、
前記表示パネル判別信号の有効部分を当該マトリクス表示パネルの種別を識別するための識別情報のみとし、
前記表示パネル種別判定処理では、
前記識別情報に基づいて当該マトリクス表示パネルの種別を識別することを特徴とする請求項７乃至１６のいずれか一に記載のマトリクス表示パネル種別検査方法。
【請求項１８】
前記判別信号生成処理では、
前記表示パネル判別信号の有効部分を当該マトリクス表示パネルの種別を識別するための識別情報及び該識別情報の誤り検出情報とし、
前記表示パネル種別判定処理では、
前記識別情報及び誤り検出情報に基づいて当該マトリクス表示パネルの種別を識別することを特徴とする請求項７乃至１６のいずれか一に記載のマトリクス表示パネル種別検査方法。
【請求項１９】
前記識別情報は、誤り訂正可能な符号語として構成されていることを特徴とする請求項１７又は１８記載のマトリクス表示パネル種別検査方法。
【請求項２０】
前記判別信号生成処理と前記表示パネル種別判定処理とを複数対で行い、かつ、
前記各表示パネル種別判定処理では、
前記対となる前記判別信号生成処理で出力される前記表示パネル判別信号に基づいて、前記マトリクス表示パネルの種別を判定することを特徴とする請求項７乃至１９のいずれか一に記載のマトリクス表示パネル種別検査方法。
【請求項２１】
前記判別信号生成処理を前記各駆動電流吸込み用電極に対応して行い、
前記点灯制御処理では、
前記各判別信号生成処理で所定の順序でアクティブモードの前記駆動電流を与えることを特徴とする請求項５記載のマトリクス表示パネル種別検査方法。
【請求項２２】
前記判別信号生成処理を前記各駆動電流供給用電極に対応して行い、
前記点灯制御処理では、
前記各判別信号生成処理で所定の順序でアクティブモードの前記駆動電流を与えることを特徴とする請求項６記載のマトリクス表示パネル種別検査方法。
【請求項２３】
所定数の点灯素子がマトリクス状に配列されてなるマトリクス表示パネルに対してダイナミック点灯制御する点灯制御手段と、
前記点灯制御手段による前記ダイナミック点灯制御に基づいて、前記マトリクス表示パネルの種別に対応した表示パネル判別信号を生成する判別信号生成手段と、
該判別信号生成手段により生成された前記表示パネル判別信号に基づいて、前記マトリクス表示パネルの種別を判定する表示パネル種別判定手段とを備えてなることを特徴とするマトリクス表示パネル種別検査装置。
【請求項２４】
所定数の点灯素子がマトリクス状に配列されてなるマトリクス表示パネルに対してダイナミック点灯制御する点灯制御手段と、
前記マトリクス表示パネルのユニット内に予め実装しておき、前記点灯制御処理による前記ダイナミック点灯制御に基づいて、前記マトリクス表示パネルの種別に対応した表示パネル判別信号を生成する判別信号生成手段と、
該判別信号生成手段により生成された前記表示パネル判別信号に基づいて、前記マトリクス表示パネルの種別を判定する表示パネル種別判定手段とを備えてなることを特徴とするマトリクス表示パネル種別検査装置。
【発明の詳細な説明】
【技術分野】
【０００１】
この発明は、マトリクス表示パネル種別検査方法及びマトリクス表示パネル種別検査装置に係り、たとえば、ドットマトリクス方式のＬＥＤ（Light Emitting Diode、発光ダイオード）表示パネルなどの種別を判定する場合に用いて好適なマトリクス表示パネル種別検査方法及びマトリクス表示パネル種別検査装置に関する。
【背景技術】
【０００２】
ドットマトリクス方式のＬＥＤ表示パネルは、色や輝度ランクの異なる複数のＬＥＤにより構成されていても、各ＬＥＤは部品形状がほぼ同一であるため、外観上は判別がつかない。このＬＥＤ表示パネルを装置の一部として組み込む場合、従来では、ＬＥＤが実装される基板の形状を変えて目視確認できるようにしたり、あるいは、発光させて目視で確認するなどの方法により、意図しない色や輝度ランクのユニットが組み込まれてしまうことを防止していた。ところが、色や輝度ランクの種類が増加すると、複数種類の形状の基板を作らなければならないという非効率的な設計及び製作上の問題点や、目視による確認作業が煩雑になるという問題点がある。また、携帯電話機などのような携帯機器では、表示パネルの大きさに対する制約やユニット間の配線数を極力減らすことが要求されているが、市場要求であるカラーバリエーションに対応するための手法のひとつとして、ＬＥＤマトリクス表示の色も連動したものにすることが要求されている。このような機器では、その表示部をユニット化してＬＥＤ以外の部分を共通化することが有効な手段であるが、多種展開する場合には、上記と同様の問題点がある。
【０００３】
この種の関連する技術としては、たとえば、特許文献１に記載された液晶表示パネル及び検査方法がある。
この液晶表示パネルでは、第１基板と第２基板との間に液晶が封入され、同第１基板上に、液晶駆動用電極端子群に隣接して配置された識別用電極端子群がある。この識別用電極端子群は、４つの第１〜第４端子を有し、第１及び第２の端子同士がショートし、また、第３及び第４の端子同士がショートしている。同液晶表示パネルの検査方法では、たとえば、点灯検査時に異機種混合判別する際、液晶駆動用電極端子群及び識別用電極端子群を含む一括コンタクト領域に、コンタクト部材がコンタクトされる。そして、識別用電極端子群のうち、第１及び第３端子にデジタル値で「１」に対応する電位が供給され、第２及び第４端子からの信号がモニタされる。そのモニタ出力から、識別用電極端子群からの識別信号の電位の組合わせが、（１，１）であると認識される。
【０００４】
また、特許文献２に記載された表示システムでは、表示パネルに、メモリ部と、送信部とが設けられている。メモリ部では、表示パネルを構成するデバイスの種類及び同表示パネルの仕様に関する情報を含む識別情報（ＩＤ情報）が記憶されている。送信部により、メモリ部に記憶されているＩＤ情報が信号処理装置に送信される。信号処理装置には、制御回路が設けられている。この制御回路により、表示パネルから送信されたＩＤ情報が受信され、受信されたＩＤ情報から表示パネルのデバイスの種類及び同表示パネルの仕様が判別され、この判別結果に応じて信号処理装置の動作状態を変更するように制御される。
【特許文献１】特開平１１−１１９６８２号公報（要約書、図３）
【特許文献２】特開２００５−０８６７２１号公報（要約書、図２）
【発明の開示】
【発明が解決しようとする課題】
【０００５】
しかしながら、上記各文献に記載された技術では、次のような問題点があった。
すなわち、特許文献１に記載された検査方法では、複数の接点を設けて識別させることで機種の確認が行われるが、種類が増加すると、判定用の接点数も増大させる必要があり、大きさや部品コストの増大が避けられないという問題点がある。
【０００６】
特許文献２に記載された表示システムでは、表示パネルが、メモリ部及び送信部を有し、アクティブ動作する装置となっているため、この発明とは構成が異なる。
【０００７】
この発明は、上述の事情に鑑みてなされたもので、外観上からは識別が難しいマトリクス表示パネルの種別を簡単な構成で確実に判定できるマトリクス表示パネル種別検査方法及びマトリクス表示パネル種別検査装置を提供することを目的としている。
【課題を解決するための手段】
【０００８】
上記課題を解決するために、この発明の第１の構成は、マトリクス表示パネル種別検査方法に係り、点灯制御手段が、所定数の点灯素子がマトリクス状に配列されてなるマトリクス表示パネルに対してダイナミック点灯制御する点灯制御処理と、判別信号生成手段が、該点灯制御処理による前記ダイナミック点灯制御に基づいて、前記マトリクス表示パネルの種別に対応した表示パネル判別信号を生成する判別信号生成処理と、表示パネル種別判定手段が、該判別信号生成処理により生成された前記表示パネル判別信号に基づいて、前記マトリクス表示パネルの種別を判定する表示パネル種別判定処理とを行うことを特徴としている。
【０００９】
この発明の第２の構成は、マトリクス表示パネル種別検査装置に係り、所定数の点灯素子がマトリクス状に配列されてなるマトリクス表示パネルに対してダイナミック点灯制御する点灯制御手段と、前記点灯制御手段による前記ダイナミック点灯制御に基づいて、前記マトリクス表示パネルの種別に対応した表示パネル判別信号を生成する判別信号生成手段と、該判別信号生成手段により生成された前記表示パネル判別信号に基づいて、前記マトリクス表示パネルの種別を判定する表示パネル種別判定手段とを備えてなることを特徴としている。
【発明の効果】
【００１０】
この発明の構成によれば、点灯制御処理により、マトリクス表示パネルに対してダイナミック点灯制御され、判別信号生成処理により、上記点灯制御処理によるダイナミック点灯制御に基づいて、マトリクス表示パネルの種別に対応した表示パネル判別信号が生成され、表示パネル種別判定処理により、同表示パネル判別信号に基づいて、マトリクス表示パネルの種別が判定されるので、ダイナミック点灯による基本的な制御の仕組みを用いて、簡単な構成で多種のマトリクス表示パネルの種別を効率的に識別することが可能となる。
【発明を実施するための最良の形態】
【００１１】
点灯制御手段が、所定数の点灯素子がマトリクス状に配列されてなるマトリクス表示パネルに対してダイナミック点灯制御する点灯制御処理と、判別信号生成手段を上記マトリクス表示パネルのユニット内に予め実装しておき、該判別信号生成手段が、上記点灯制御処理による上記ダイナミック点灯制御に基づいて、上記マトリクス表示パネルの種別に対応した表示パネル判別信号を生成する判別信号生成処理と、表示パネル種別判定手段が、該判別信号生成処理により生成された上記表示パネル判別信号に基づいて、上記マトリクス表示パネルの種別を判定する表示パネル種別判定処理とを行うマトリクス表示パネル種別検査方法を提供する。また、所定数の点灯素子がマトリクス状に配列されてなるマトリクス表示パネルに対してダイナミック点灯制御する点灯制御手段と、上記マトリクス表示パネルのユニット内に実装され、上記点灯制御手段による上記ダイナミック点灯制御に基づいて、上記マトリクス表示パネルの種別に対応した表示パネル判別信号を生成する判別信号生成手段と、該判別信号生成手段により生成された上記表示パネル判別信号に基づいて、上記マトリクス表示パネルの種別を判定する表示パネル種別判定手段とを備えるマトリクス表示パネル種別検査装置を提供する。
【００１２】
また、この発明では、上記マトリクス表示パネルは、互いに直交する複数の駆動電流供給用電極と複数の駆動電流吸込み用電極、及び上記各駆動電流供給用電極と上記各駆動電流吸込み用電極との交差箇所に接続された複数の点灯素子を有し、上記点灯制御処理では、上記マトリクス表示パネルの上記複数の駆動電流供給用電極に対して、上記ダイナミック点灯制御に基づく駆動電流を所定の順序で供給し、上記判別信号生成処理では、上記点灯制御処理により上記マトリクス表示パネルの上記各駆動電流供給用電極に供給される上記駆動電流に基づいて、上記マトリクス表示パネルの種別に対応したパターンのシリアル信号として上記表示パネル判別信号を生成し、上記表示パネル種別判定処理では、上記表示パネル判別信号を受信し、該表示パネル判別信号のパターンに基づいて上記マトリクス表示パネルの種別を判定する。
【００１３】
また、この発明では、上記マトリクス表示パネルは、互いに直交する複数の駆動電流供給用電極と複数の駆動電流吸込み用電極、及び上記各駆動電流供給用電極と上記各駆動電流吸込み用電極との交差箇所に接続された複数の点灯素子を有し、上記点灯制御処理では、上記マトリクス表示パネルの上記複数の駆動電流吸込み用電極に対して、上記ダイナミック点灯制御に基づく駆動電流を所定の順序で供給し、上記判別信号生成処理では、上記マトリクス表示パネルの上記各駆動電流吸込み用電極に吸い込まれる上記駆動電流に基づいて、上記マトリクス表示パネルの種別に対応したパターンの上記表示パネル判別信号を生成し、上記表示パネル種別判定処理では、上記表示パネル判別信号を受信し、該表示パネル判別信号のパターンに基づいて上記マトリクス表示パネルの種別を判定する。
【００１４】
また、この発明では、上記判別信号生成処理では、任意の上記駆動電流吸込み用電極に吸い込まれる上記駆動電流がアクティブモードのときに該駆動電流に基づいて上記表示パネル判別信号を上記表示パネル種別判定処理で用いる一方、該駆動電流がノンアクティブモードのときに上記表示パネル判別信号を用いない。
【００１５】
また、この発明では、上記判別信号生成処理では、任意の上記駆動電流供給用電極に供給される上記駆動電流がアクティブモードのときに該駆動電流に基づいて上記表示パネル判別信号を上記表示パネル種別判定処理で用いる一方、該駆動電流がノンアクティブモードのときに上記表示パネル判別信号を用いない。
【００１６】
また、この発明では、上記判別信号生成処理では、上記マトリクス表示パネルの上記各駆動電流供給用電極に供給される上記駆動電流に基づいて、非同期シリアル信号の形式を有する上記表示パネル判別信号を生成する。
【００１７】
また、この発明では、上記判別信号生成処理では、上記マトリクス表示パネルの上記各駆動電流吸込み用電極に吸い込まれる上記駆動電流に基づいて、非同期シリアル信号の形式を有する上記表示パネル判別信号を生成する。
【００１８】
また、この発明では、上記判別信号生成処理では、上記マトリクス表示パネルの上記各駆動電流供給用電極に供給される上記駆動電流に基づいて、同期シリアル信号の形式を有する上記表示パネル判別信号を生成する。
【００１９】
また、この発明では、上記判別信号生成処理では、上記マトリクス表示パネルの上記各駆動電流吸込み用電極に吸い込まれる上記駆動電流に基づいて、同期シリアル信号の形式を有する上記表示パネル判別信号を生成する。
【００２０】
また、この発明では、上記判別信号生成処理では、上記マトリクス表示パネルの上記各駆動電流供給用電極に供給される上記駆動電流に基づいて、バイシンクシリアル信号の形式を有する上記表示パネル判別信号を生成する。
【００２１】
また、この発明では、上記判別信号生成処理では、上記マトリクス表示パネルの上記各駆動電流吸込み用電極に吸い込まれる上記駆動電流に基づいて、バイシンクシリアル信号の形式を有する上記表示パネル判別信号を生成する。
【００２２】
また、この発明では、上記判別信号生成処理では、上記マトリクス表示パネルの上記各駆動電流供給用電極に供給される上記駆動電流に基づいて、周波数偏移変調信号の形式を有する上記表示パネル判別信号を生成する。
【００２３】
また、この発明では、上記判別信号生成処理では、上記マトリクス表示パネルの上記各駆動電流吸込み用電極に吸い込まれる上記駆動電流に基づいて、周波数偏移変調信号の形式を有する上記表示パネル判別信号を生成する。
【００２４】
また、この発明では、上記判別信号生成処理では、上記マトリクス表示パネルの上記各駆動電流供給用電極に供給される上記駆動電流に基づいて、符号拡散信号形式を有する上記表示パネル判別信号を生成する。
【００２５】
また、この発明では、上記判別信号生成処理では、上記マトリクス表示パネルの上記各駆動電流吸込み用電極に吸い込まれる上記駆動電流に基づいて、符号拡散信号の形式を有する上記表示パネル判別信号を生成する。
【００２６】
また、この発明では、上記判別信号生成処理では、上記表示パネル判別信号の有効部分を当該マトリクス表示パネルの種別を識別するための識別情報のみとし、上記表示パネル種別判定処理では、上記識別情報に基づいて当該マトリクス表示パネルの種別を識別する。
【００２７】
また、この発明では、上記判別信号生成処理では、上記表示パネル判別信号の有効部分を当該マトリクス表示パネルの種別を識別するための識別情報及び該識別情報の誤り検出情報とし、上記表示パネル種別判定処理では、上記識別情報及び誤り検出情報に基づいて当該マトリクス表示パネルの種別を識別する。
【００２８】
また、この発明では、上記識別情報は、誤り訂正可能な符号語として構成されている。
【００２９】
また、この発明では、上記判別信号生成処理と上記表示パネル種別判定処理とを複数対で行い、かつ、上記各表示パネル種別判定処理では、上記対となる上記判別信号生成処理で出力される上記表示パネル判別信号に基づいて、上記マトリクス表示パネルの種別を判定する。
【００３０】
また、この発明では、上記判別信号生成処理を上記各駆動電流吸込み用電極に対応して行い、上記点灯制御処理では、上記各判別信号生成処理で所定の順序でアクティブモードの上記駆動電流を与える。
【００３１】
また、この発明では、上記判別信号生成処理を上記各駆動電流供給用電極に対応して行い、上記点灯制御処理では、上記各判別信号生成処理で所定の順序でアクティブモードの上記駆動電流を与える。
【実施例１】
【００３２】
図１は、この発明の第１の実施例であるマトリクス表示パネル種別検査方法を実施するためのマトリクス表示パネル種別検査装置が用いられる環境を示す模式図である。
この例の環境では、同図に示すように、制御部１０と、マトリクス表示駆動部２０と、表示パネル３０とが設けられている。表示パネル３０は、マトリクス表示部３１を有し、特に、この実施例では、同マトリクス表示部３１のユニット内に照合パターン生成部３２が実装されている。マトリクス表示部３１は、所定数の点灯素子（たとえば、ＬＥＤ）がマトリクス状に配列されて構成されている。
【００３３】
マトリクス表示駆動部２０は、制御部１０により制御され、マトリクス表示部３１に対してダイナミック点灯制御する。照合パターン生成部３２は、マトリクス表示駆動部２０によるダイナミック点灯制御に基づいて、マトリクス表示部３１の種別に対応した表示パネル判別信号soutを生成する。制御部１０は、信号受信部１１を有している。信号受信部１１は、照合パターン生成部３２により生成された表示パネル判別信号soutを受信する。制御部１０は、予めマトリクス表示部３１の種別と表示パネル判別信号soutとの対応関係を記憶し、信号受信部１１で受信された表示パネル判別信号soutに基づいて、マトリクス表示部３１の種別を判定する。上記制御部１０、マトリクス表示駆動部２０及び照合パターン生成部３２により、マトリクス表示パネル種別検査装置が構成されている。
【００３４】
図２は、図１中のマトリクス表示部３１の電気的構成を示す図である。
このマトリクス表示部３１は、同図２に示すように、互いに直交する駆動電流供給用電極ｒ0 ，ｒ1 ，…，ｒi と駆動電流吸込み用電極ｃ0 ，ｃ1 ，…，ｃj 、及び各駆動電流供給用電極ｒ0 ，ｒ1 ，…，ｒi と各駆動電流吸込み用電極ｃ0 ，ｃ1 ，…，ｃj との交差箇所に接続されたＬＥＤｅ0,0 ，…，ｅi,j を有している。マトリクス表示駆動部２０は、マトリクス表示部３１の駆動電流供給用電極ｒ0 ，ｒ1 ，…，ｒi に対して、ダイナミック点灯制御に基づく駆動電流を所定の順序（たとえば線順次）で供給する。ダイナミック点灯制御では、駆動電流供給用電極ｒ0 ，ｒ1 ，…，ｒi が個別に順次ドライブされ、これが人間の視覚では消灯区間が認識できない程度の速度で繰り返され、ＬＥＤｅ0,0 ，…，ｅi,j に一定のパターンが常時表れているように認識させる。
【００３５】
照合パターン生成部３２は、マトリクス表示駆動部２０からマトリクス表示部３１の駆動電流供給用電極ｒ0 ，ｒ1 ，…，ｒi に供給される駆動電流に基づいて、マトリクス表示部３１の種別に対応したパターンのシリアル信号として表示パネル判別信号soutを生成する。信号受信部１１は、照合パターン生成部３２で生成された表示パネル判別信号soutを受信する。制御部１０は、表示パネル判別信号soutのパターンに基づいてマトリクス表示部３１の種別を判定する。
【００３６】
図３は、図１中の照合パターン生成部３２の電気的構成を示す図である。
この照合パターン生成部３２は、同図３に示すように、端子ｒａ0 ，ｒａ1 ，…，ｒａi を有している。これらの端子ｒａ0 ，ｒａ1 ，…，ｒａi は、マトリクス表示部３１の駆動電流供給用電極ｒ0 ，ｒ1 ，…，ｒi にそれぞれ接続されている。ダイオードｘ0 ，ｘ1 ，…，ｘi は、マトリクス表示部３１の種別に対応して搭載の有無が選択される。ダイオードｘ0 ，ｘ1 ，…，ｘi のうちの搭載されるダイオードのアノードは、端子ｒａ0 ，ｒａ1 ，…，ｒａi の該当する端子にそれぞれ接続される。また、ダイオードｘ0 ，ｘ1 ，…，ｘi のうちの搭載されるダイオードのカソードは、出力線３３のノードｓ0 ，ｓ1 ，…，ｓi の該当するノードにそれぞれ接続される。出力線３３からは、表示パネル判別信号soutが出力される。
【００３７】
図４は、図３の照合パターン生成部３２におけるマトリクス表示部３１の種別ごとのダイオードの搭載の有無の例を示す図である。
この照合パターン生成部３２は、同図４に示すように、マトリクス表示部３１の種別１に対応したものでは、ダイオードｘ0 が搭載される一方、ダイオードｘ1 ，…，ｘi は搭載されていない。この種別１に対応した照合パターン生成部３２は、マトリクス表示駆動部２０からマトリクス表示部３１の駆動電流供給用電極ｒ0 ，ｒ1 ，…，ｒi に供給される駆動電流に基づいて、非同期シリアル信号の形式を有する表示パネル判別信号soutを生成する。
【００３８】
また、照合パターン生成部３２は、マトリクス表示部３１の種別２に対応したものでは、偶数番目のダイオードｘ0 ，ｘ2 ，…，ｘi （ｉ；偶数）が搭載される一方、奇数番目のダイオードｘ1 ，…，ｘi-1 は搭載されていない。この種別２に対応した照合パターン生成部３２は、マトリクス表示部３１の駆動電流供給用電極ｒ0 ，ｒ1 ，…，ｒi に供給される駆動電流に基づいて、同期シリアル信号の形式を有する表示パネル判別信号soutを生成する。
【００３９】
また、照合パターン生成部３２は、マトリクス表示部３１の種別３に対応したものでは、２つの隣接するダイオードｘ0 ，ｘ1 、及びダイオードｘi が搭載されている。この種別３に対応した照合パターン生成部３２は、マトリクス表示部３１の駆動電流供給用電極ｒ0 ，ｒ1 ，…，ｒi に供給される駆動電流に基づいて、バイシンクシリアル信号の形式を有する表示パネル判別信号soutを生成する。
【００４０】
また、照合パターン生成部３２は、マトリクス表示部３１の図示しない種別４に対応したものでは、少なくとも４つの隣接するダイオードが搭載されている。この種別４に対応した照合パターン生成部３２は、マトリクス表示部３１の駆動電流供給用電極ｒ0 ，ｒ1 ，…，ｒi に供給される駆動電流に基づいて、ＦＳＫ（frequency shift keying、周波数偏移変調）の形式を有する表示パネル判別信号soutを生成する。
【００４１】
また、照合パターン生成部３２は、マトリクス表示部３１の種別ｎに対応したものでは、符号拡散信号形式に対応してオン状態となる隣接するダイオードｘ0 ，ｘ1 ，…，ｘi が搭載されている。この種別ｎに対応した照合パターン生成部３２は、マトリクス表示部３１の駆動電流供給用電極ｒ0 ，ｒ1 ，…，ｒi に供給される駆動電流に基づいて、符号拡散信号の形式を有する表示パネル判別信号soutを生成する。
【００４２】
また、照合パターン生成部３２は、表示パネル判別信号soutの有効部分を、求められる信頼性に応じて、マトリクス表示部３１の種別を識別するための識別情報のみ、又は識別情報及び同識別情報の誤り検出情報とする。この場合、制御部１０は、上記識別情報、又は識別情報及び誤り検出情報に基づいてマトリクス表示部３１の種別を識別する。上記識別情報は、誤り訂正可能な符号語（たとえば、Bose-Chaudhuri-Hocquenghem、ＢＣＨ符号など）として構成されている。
【００４３】
図５は、マトリクス表示部３１の駆動電流供給用電極ｒ0 ，ｒ1 ，…，ｒi に印加される電流ドライブ波形の例を示す図、及び図６が、図４中の各種別に対応する照合パターン生成部３２の表示パネル判別信号soutの信号パターン波形を反転させて示す図である。
これらの図を参照して、この例のマトリクス表示パネル種別検査装置に用いられるマトリクス表示パネル種別検査方法の処理内容について説明する。
このマトリクス表示パネル種別検査装置では、照合パターン生成部３２をマトリクス表示部３１のユニット内に予め実装しておく。そして、マトリクス表示駆動部２０により、マトリクス表示部３１に対してダイナミック点灯制御される（点灯制御処理）。照合パターン生成部３２により、上記点灯制御処理によるダイナミック点灯制御に基づいて、マトリクス表示部３１の種別に対応した表示パネル判別信号soutが生成される（判別信号生成処理）。制御部１０では、この判別信号生成処理により生成された表示パネル判別信号soutに基づいて、マトリクス表示部３１の種別が判定される（表示パネル種別判定処理）。
【００４４】
すなわち、マトリクス表示駆動部２０により、図５に示すように、マトリクス表示部３１の駆動電流供給用電極ｒ0 ，ｒ1 ，…，ｒi に駆動電流が順次印加され、また、駆動電流吸込み用電極ｃ0 ，ｃ1 ，…，ｃj のうちの点灯させたいＬＥＤに接続されている駆動電流吸込み用電極に対して電流吸い込みが行われる。この状態では、照合パターン生成部３２の端子ｒａ0 ，ｒａ1 ，…，ｒａi には、駆動電流供給用電極ｒ0 ，ｒ1 ，…，ｒi と同一の波形が現れる。さらに、端子ｒａ0 ，ｒａ1 ，…，ｒａi のいずれかがドライブされているとき、そのドライブされている端子にダイオードが実装されていると、出力線３３のノードｓ0 ，ｓ1 ，…，ｓi のうちの該当するノードがドライブされる一方、ダイオードが実装されていないときにはドライブされない。この場合、端子ｒａ0 ，ｒａ1 ，…，ｒａi が順次ドライブされているので、ダイオードｘ0 ，ｘ1 ，…，ｘi の有無に対応した波形の表示パネル判別信号soutが出力される。
【００４５】
この仕組みにより、ダイオードｘ0 ，ｘ1 ，…，ｘi の有無の設定されたパターンに対応して、任意の所望信号波形の表示パネル判別信号soutが生成される。表示パネル判別信号soutは、図６に示すように、種別１では非同期シリアル信号、種別２では同期シリアル信号、種別３ではバイシンクシリアル信号、及び種別ｎでは符号拡散信号の形式を有している。信号受信部１１では、表示パネル判別信号soutに内包されるパターンが検出され、制御部１０により、このパターンに基づいて、マトリクス表示部３１の種別が判定される。この場合、制御部１０により、表示パネル判別信号soutの有効部分を構成する識別情報、又は識別情報及び誤り検出情報に基づいてマトリクス表示部３１の種別が識別される。
【００４６】
以上のように、この第１の実施例では、照合パターン生成部３２をマトリクス表示部３１のユニット内に予め実装しておき、マトリクス表示駆動部２０により、マトリクス表示部３１に対してダイナミック点灯制御され、照合パターン生成部３２により、上記点灯制御処理によるダイナミック点灯制御に基づいて、マトリクス表示部３１の種別に対応した表示パネル判別信号soutが生成され、制御部１０により、同表示パネル判別信号soutに基づいて、マトリクス表示部３１の種別が判定されるので、ダイナミック点灯による基本的な制御の仕組みを用いて、少ない素子（ダイオードｘ0 ，ｘ1 ，…，ｘi ）及び１本の接続用配線（出力線３３）の追加により、多種のマトリクス表示部を効率的に識別することが可能となる。また、制御部１０により、誤り訂正可能な符号化した識別情報に基づいてマトリクス表示部３１の種別が識別されるので、照合パターン生成部３２の部品（ダイオードｘ0 ，ｘ1 ，…，ｘi の一部など）が偶発的な脱落した場合や不良が発生した場合でも、正確な判定が行われる。
【実施例２】
【００４７】
この発明の第２の実施例のマトリクス表示パネル種別検査装置では、図１中の照合パターン生成部３２に代えて、異なる構成の照合パターン生成部３２Ａが設けられている。
図７は、照合パターン生成部３２Ａの電気的構成を示す図であり、第１の実施例を示す図３中の要素と共通の要素には共通の符号が付されている。
この例の照合パターン生成部３２Ａは、同図７に示すように、端子ｃａ0 ，ｃａ1 ，…，ｃａj を有している。これらの端子ｃａ0 ，ｃａ1 ，…，ｃａj は、マトリクス表示部３１の駆動電流吸込み用電極ｃ0 ，ｃ1 ，…，ｃj にそれぞれ接続されている。ダイオードｘ0 ，ｘ1 ，…，ｘj は、マトリクス表示部３１の種別に対応して搭載の有無が選択される。ダイオードｘ0 ，ｘ1 ，…，ｘj のうちの搭載されるダイオードのカソードは、端子ｃａ0 ，ｃａ1 ，…，ｃａj の該当する端子にそれぞれ接続される。また、ダイオードｘ0 ，ｘ1 ，…，ｘj のうちの搭載されるダイオードのアノードは、出力線３３のノードｓ0 ，ｓ1 ，…，ｓj の該当するノードにそれぞれ接続される。出力線３３からは、表示パネル判別信号soutが出力される。また、出力線３３と電源ラインとの間にプルアップ用の抵抗４１が接続されている。
【００４８】
このマトリクス表示パネル種別検査装置では、マトリクス表示駆動部２０により、マトリクス表示部３１の駆動電流吸込み用電極ｃ0 ，ｃ1 ，…，ｃj に対して順次電流吸い込みが行われ、また、駆動電流供給用電極ｒ0 ，ｒ1 ，…，ｒi のうちの点灯させたいＬＥＤに接続されている駆動電流供給用電極に駆動電流が印加される。そして、照合パターン生成部３２Ａから表示パネル判別信号soutが出力される。以降、第１の実施例と同様の動作が行われ、同様の利点がある。
【実施例３】
【００４９】
この発明の第３の実施例のマトリクス表示パネル種別検査装置では、図１中の照合パターン生成部３２に代えて、異なる構成の照合パターン生成部３２Ｂが設けられている。
図８は、照合パターン生成部３２Ｂの電気的構成を示す図であり、第１の実施例を示す図３及び第２の実施例を示す図５中の要素と共通の要素には共通の符号が付されている。
この例の照合パターン生成部３２Ｂでは、同図８に示すように、照合パターン生成部３２の構成に加え、抵抗５１、ｎｐｎ型のトランジスタ５２、抵抗５３、インバータ５４、及び端子ｃａ0 が設けられている。端子ｃａ0 は、マトリクス表示部３１の駆動電流吸込み用電極ｃ0 に接続されている。また、マトリクス表示駆動部２０は、マトリクス表示部３１の駆動電流吸込み用電極ｃ0 ，ｃ1 ，…，ｃj をドライブする際に、制御部１０の制御に基づいてＰＷＭ（Pulse Width Modulation）による輝度調整を行う機能を有している。
【００５０】
図９は、図４中の各種別に対応する照合パターン生成部３２Ｂの表示パネル判別信号soutの信号パターン波形を反転させて示す図である。
この図を参照して、この例のマトリクス表示パネル種別検査装置に用いられるマトリクス表示パネル種別検査方法の処理内容について説明する。
この照合パターン生成部３２Ｂでは、駆動電流吸込み用電極ｃ0 に吸い込まれる駆動電流がアクティブモードのとき、トランジスタ５２がオフ状態となって表示パネル判別信号soutが信号受信部１１へ出力される一方、同駆動電流がノンアクティブモードのとき、トランジスタ５２がオン状態となって表示パネル判別信号soutが出力されない。
【００５１】
この場合、マトリクス表示部３１の駆動電流供給用電極ｒ0 ，ｒ1 ，…，ｒi が順次ドライブされる区間での駆動電流吸込み用電極ｃ0 がドライブされるデューティ・サイクルが、たとえば５０％近似値になるように制御されると、図９に示すように、ダイオードｘ0 ，ｘ1 ，…，ｘj のうちの種別１，２，…，ｎに応じて搭載されているダイオードに対応して、単パルスの表示パネル判別信号soutが、グリッチが発生することなく出力される。また、駆動電流供給用電極ｒ0 ，ｒ1 ，…，ｒi に順次供給される駆動電流に遅延があり、短期間の非ドライブ区間が発生している場合でも、同様に、単パルスの表示パネル判別信号soutが、グリッチが発生することなく出力される。
【００５２】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記第２の実施例を示す図７の照合パターン生成部３２Ａの構成に、上記第３の実施例を示す図８中の抵抗５１、トランジスタ５２、抵抗５３、インバータ５４及び端子ｒａ0 を設け、この端子ｒａ0 を駆動電流供給用電極ｒ0 に接続しても、上記第３の実施例とほぼ同様の作用、効果が得られる（請求項６に対応）。また、上記抵抗５１、トランジスタ５２、抵抗５３、インバータ５４及び端子ｃａ0 による回路は、この構成限定されず、同等の機能を有する回路構成であれば良い。
【００５３】
また、信号受信部１１と図３の照合パターン生成部３２とのペアを複数設け、各照合パターン生成部３２のダイオードｘ0 ，ｘ1 ，…，ｘi の実装の有無に変化をもたせても良い。これにより、複数の表示パネル判別信号soutから、より多くの情報が得られる。また、信号受信部１１と図７の照合パターン生成部３２Ａとのペア、又は、信号受信部１１と図８の照合パターン生成部３２Ｂとのペアを複数設けても、同様に、複数の表示パネル判別信号soutから、より多くの情報が得られる（請求項２０に対応）。
【００５４】
また、図８の照合パターン生成部３２Ｂを駆動電流吸込み用電極ｃ0 ，ｃ1 ，…，ｃj に対応して複数設け、かつ、各インバータ５４の入力側に端子ｃａ0 ，ｃａ1 ，…，ｃａj を設け、マトリクス表示駆動部２０により、各端子ｃａ0 ，ｃａ1 ，…，ｃａj に順次アクティブモードの駆動電流を与えるようにしても良い。これにより、より多くの情報が得られる（請求項２１に対応）。
【００５５】
また、上記請求項６に対応した照合パターン生成部を駆動電流供給用電極ｒ0 ，ｒ1 ，…，ｒi に対応して複数設け、各インバータ５４の入力側に端子ｒａ0 ，ｒａ1 ，…，ｒａi を設け、各端子ｒａ0 ，ｒａ1 ，…，ｒａi に順次アクティブモードの駆動電流を与えるようにしても良い。これにより、より多くの情報が得られる（請求項２２に対応）。また、点灯素子は、ＬＥＤに限らず、ダイナミック点灯制御に適合するものであれば良い。
【産業上の利用可能性】
【００５６】
この発明は、外観がほぼ同一のマトリクス表示パネルの種別の判定を行う場合全般に適用できる。
【図面の簡単な説明】
【００５７】
【図１】この発明の第１の実施例であるマトリクス表示パネル種別検査方法を実施するためのマトリクス表示パネル種別検査装置が用いられる環境を示す模式図である。
【図２】図１中のマトリクス表示部３１の電気的構成を示す図である。
【図３】図１中の照合パターン生成部３２の電気的構成を示す図である。
【図４】図３の照合パターン生成部３２におけるマトリクス表示部３１の種別ごとのダイオードの搭載の有無の例を示す図である。
【図５】マトリクス表示部３１の駆動電流供給用電極ｒ0 ，ｒ1 ，…，ｒi に印加される電流ドライブ波形の例を示す図である。
【図６】図４中の各種別に対応する照合パターン生成部３２の表示パネル判別信号soutの信号パターン波形を反転させて示す図である。
【図７】照合パターン生成部３２Ａの電気的構成を示す図である。
【図８】照合パターン生成部３２Ｂの電気的構成を示す図である。
【図９】図４中の各種別に対応する照合パターン生成部３２Ｂの表示パネル判別信号soutの信号パターン波形を反転させて示す図である。
【符号の説明】
【００５８】
１０      制御部（点灯制御手段の一部、表示パネル種別判定手段の一部）
１１      信号受信部（表示パネル種別判定手段の一部）
２０      マトリクス表示駆動部（点灯制御手段の一部）
３０      表示パネル
３１      マトリクス表示部（マトリクス表示パネル、表示パネルの一部）
３２，３２Ａ，３２Ｂ      照合パターン生成部（判別信号生成手段、表示パネルの一部）
３３      出力線（判別信号生成手段の一部）
５１，５３      抵抗（表示パネル種別判定手段の一部）
５２      トランジスタ（表示パネル種別判定手段の一部）
５４      インバータ（表示パネル種別判定手段の一部）
ｒ0 ，ｒ1 ，…，ｒi       駆動電流供給用電極
ｃ0 ，ｃ1 ，…，ｃj       駆動電流吸込み用電極
ｅ0,0 ，…，ｅi,j       ＬＥＤ（点灯素子）
ｒａ0 ，ｒａ1 ，…，ｒａi       端子
ｃａ0       端子（表示パネル種別判定手段の一部）
ｘ0 ，ｘ1 ，…，ｘi       ダイオード（判別信号生成手段の一部）
【図１】
2010032394.tif 000003
【図２】
2010032394.tif 000004
【図３】
2010032394.tif 000005
【図４】
2010032394.tif 000006
【図５】
2010032394.tif 000007
【図６】
2010032394.tif 000008
【図７】
2010032394.tif 000009
【図８】
2010032394.tif 000010
【図９】
2010032394.tif 000011